(57)【要約】【課題】  下地板に強固に取り付けられると共に、塗り材に亀裂が生じることを防止することも可能な出隅コーナー材と、この出隅コーナー材を用いた出隅構造を提供する。【解決手段】  出隅コーナー材１は略直角に交わる板状体２，２を有した長尺のＬ字形部材である。各板状体２の交叉辺と反対側の端辺近傍には多数の孔３が設けられている。下地板１５，１６を突き合わせた出隅に対し前記出隅コーナー材１が重ね合わされ、シーリング２０を塗り込めることにより該出隅コーナー材１が下地板１５，１６に固定される。この出隅コーナー材は、無孔領域Ｗ３がシーリング１９を覆う大きさを有している。下地板１５側にあっては、有孔領域Ｗ２は下地板１５にのみ重なるようになり、孔３はシーリング１９には対面しない。【選択図】図２
2008063830.tif 000002
【特許請求の範囲】
【請求項１】
長手辺同士が略直角に交わる１対の長尺の板状体を有する出隅コーナー材において、
各板状体の交叉辺と反対側の端辺近傍に複数の孔が設けられており、該交叉辺近傍は該孔が存在しない無孔領域となっていることを特徴とする出隅コーナー材。
【請求項２】
請求項１において、板状体同士の交叉角度が９０°よりも小さいことを特徴とする出隅コーナー材。
【請求項３】
請求項１又は２において、前記板状体の少なくとも端辺近傍は、端辺に近づくほど板厚が小さくなっていることを特徴とする出隅コーナー材。
【請求項４】
請求項１ないし３のいずれか１項において、前記孔が設けられている領域は、板状体の端辺から板状体の幅の３０〜７５％の範囲であり、
この孔が設けられている領域における板状体の開口率が１０〜７０％であり、
１個の孔の大きさは５〜１００ｍｍ２であることを特徴とする出隅コーナー材。
【請求項５】
下地板同士が略直角に突き合わされた建物の出隅構造であって、
出隅に請求項１ないし４のいずれか１項に記載の出隅コーナー材が取り付けられ、
該出隅コーナー材の前記無孔領域が該下地板同士の突き合わせ部を覆っており、
該出隅コーナー材を塗り込めるように塗り材が塗着されていることを特徴とする出隅構造。
【請求項６】
請求項５において、下地板同士の突き合せ部にシーリングが施されたシーリング施工部を有し、少なくとも該シーリング施工部に請求項１ないし４のいずれか１項に記載の出隅コーナー材が取り付けられ、該コーナー材の上に塗り材が塗着されていることを特徴とする出隅構造。
【発明の詳細な説明】
【技術分野】
【０００１】
本発明は、建物の出隅に取り付けられる出隅コーナー材に係り、特に塗り材によって塗り込められる出隅コーナー材に関する。また、本発明は、この出隅コーナー材を用いた出隅構造に関する。
【背景技術】
【０００２】
実用新案登録第３０４６１７６号には、下地板として石膏ボードを突き合わせた建物の出隅において、この突き合わせ部に出隅コーナー材を両面テープで留め付け、パテで出隅コーナー材を塗り込めることが記載されている。この出隅コーナー材を用いたことにより、下地板同士の突き合わせ部の段差を吸収することができる。
【特許文献１】実用新案登録第３０４６１７６号
【発明の開示】
【発明が解決しようとする課題】
【０００３】
上記実用新案登録第３０４６１７６号は、合成樹脂の押出成形品よりなり、一様な無孔の板状体が略直角に交叉したＬアングル状の部材である。この出隅コーナー材の厚みは、全体として均等である。
【０００４】
かかる従来の出隅コーナー材を両面テープで出隅に取り付け、パテで塗り込めた場合、出隅コーナー部材の下地板への取り付けが経時的に劣化し易い。また、建物躯体の膨張などにより下地板に変動があった場合、出隅コーナー材の端辺に沿ってパテに亀裂が生じ易い。
【０００５】
本発明は、このような従来技術の問題点を解消し、下地板に強固に取り付けられると共に、塗り材に亀裂が生じることを防止することも可能な出隅コーナー材と、この出隅コーナー材を用いた出隅構造を提供することを目的とする。
【課題を解決するための手段】
【０００６】
本発明の出隅コーナー材は、長手辺同士が略直角に交わる１対の長尺の板状体を有する出隅コーナー材において、各板状体の交叉辺と反対側の端辺近傍に複数の孔が設けられており、該交叉辺近傍は該孔が存在しない無孔領域となっていることを特徴とするものである。
【０００７】
本発明の出隅構造は、下地板同士を突き合わせた出隅に本発明の出隅コーナー材を取り付け、この際、出隅コーナー材の無孔領域で下地板同士の突き合わせ部を覆い、その後、この出隅コーナー材を塗り込めるように塗り材を塗着したものである。
【０００８】
本発明にあっては、板状体の交叉角度は９０°よりも小さいことが好ましい。
【０００９】
また、板状体の少なくとも端辺近傍は、端辺に近づくほど板厚が小さくなっていることが好ましい。
【発明の効果】
【００１０】
本発明では、出隅コーナー材の端辺近傍に複数の孔が設けられており、板状体同士の交叉辺に沿う領域は無孔となっている。この出隅コーナー材を出隅に取り付けて塗り材で塗り込めた場合、塗り材が孔を介して下地板に直に付着するので、出隅コーナー材の取り付けが長期にわたって強固なものとなる。
【００１１】
なお、出隅コーナー材全体に孔を設ける場合に比べ、孔に入る塗り材の量が少なくて済む。
【００１２】
また、下地板同士を突き合わせた出隅にこの出隅コーナー材を取り付けた出隅構造において、この突き合わせ部分が出隅コーナー材の無孔領域によって覆われる。従って、突き合わせ部の段差が仕上げ面に影響しない。
【００１３】
板状体同士の交叉角度を９０°よりも小さいものとした場合には、出隅コーナー材の交叉辺部及びその近傍の裏面と下地板との間に若干のスペースがあく。そのため、下地板が動いたり、それに追随して下地板間のシーリング材が下地板から突出するように動いたりした場合でも、この動きが該スペース内に納まり、仕上げ面に影響しないようになる。
【００１４】
出隅コーナー材の端辺近傍部分を端辺に近づくほど肉薄となるようにした場合には、出隅コーナー材を塗り込めるように塗着した塗り材に、出隅コーナー材端辺に沿って切れ目や段差が生じることを解消ないし抑制することができ、塗り仕上げ面の美観を良くすることができる。
【発明を実施するための最良の形態】
【００１５】
以下、図面を参照して実施の形態について説明する。
【００１６】
第１図は実施の形態に係る出隅コーナー材の斜視図、第２図（ａ）はその側面図、第２図（ｂ）はその断面図、第３図は実施の形態に係る出隅構造の斜視図である。
【００１７】
第１図において、出隅コーナー材１は略直角に交わる板状体２，２を有した長尺のＬ字形部材である。この出隅コーナー材１は、板状体２，２の交叉辺を挟んで対称形状である。この出隅コーナー材１は、合成樹脂や耐食性の金属材料製である。
【００１８】
出隅コーナー材１の長さは１〜４ｍ特に２〜３ｍ程度が好適である。板状体２の幅Ｗ１は２０〜９０ｍｍ特に３０〜６０ｍｍ適度が好適である。
【００１９】
各板状体２の交叉辺と反対側の端辺近傍には多数の孔３が設けられている。この孔３は円形であることが好ましいが、これに限定されない。孔２の開口面積は５〜１００ｍｍ２特に１０〜２０ｍｍ２程度が好適である。孔２が円形の場合、その直径は２〜１０ｍｍ特に３〜５ｍｍ程度が好適である。
【００２０】
この実施の形態では、各板状体の端辺から距離Ｗ２の範囲に孔３が設けられている。交叉辺から距離Ｗ３の範囲は、孔３が設けられていない無孔領域である。なお、Ｗ２＋Ｗ３＝Ｗ１である。Ｗ２／Ｗ１×１００％の値は１０〜７０％特に２０〜４０％であることが好ましい。
【００２１】
有孔領域Ｗ２にあっては、各孔３は該有孔領域Ｗ２の開口率が３０〜７５％となり、また、開口率が３００ｍｍ２／ｍ２以上、特に３０００ｍｍ２／ｍ２以上となるように設けられるのが好ましい。
【００２２】
板状体２，２の交叉角度θは９０°以下、特に８９°〜９０°であることが好ましい。
【００２３】
板状体２の肉厚は、端辺近傍、好ましくは少なくとも有孔領域Ｗ２において端辺側ほど肉薄となっている。
【００２４】
板状体２の端辺側の肉厚は０．６ｍｍ以下程度が好ましく、交叉辺付近では１ｍｍ以下であることが好ましい。
【００２５】
また、板状体２，２の交叉部は突起２１を有している。突起２１は出隅コーナーの角のラインを明確に出すことができるため美麗な仕上がりとなる。この突起２１の高さＷ４は２ｍｍ程度、好ましくは１．８ｍｍであり、塗り材は突起先端部に合せて仕上げるとよりきれいに角を出すことができる。
【００２６】
次に、この出隅コーナー材１を用いた出隅構造について第３図を参照して説明する。
【００２７】
出隅に立設された柱１０の1対の外向きの面に沿って透湿防水シート１１が張り渡されている。この透湿防水シート１１の上側に、該柱１０の該１対の外向き面に重なるように、縦胴縁１２，１３が重ね合わされ、釘（図示略）などにより柱１０に留め付けられている。縦胴縁１２，１３は、Ｌ字形を呈するように突き合わされている。この実施の形態では、縦胴縁１２のコーナー側の先端部の裏面に縦胴縁１３のコーナー側の先端部の木端面が突き合わされている。
【００２８】
この縦胴縁１２，１３に対し下地板１５，１６が重ね合わされ、釘１７によって該下地板１５，１６が柱１０に固定されている。この釘１７は縦胴縁１２，１３を貫いて柱１０に打ち込まれている。
【００２９】
なお、縦胴縁１２に重なる下地板１５と該縦胴縁１２との間には片ハットジョイナー１８が介在されている。この片ハットジョイナー１８は、コ字形部１８ａと、該コ字形部１８ａから延出した薄板状の平部１８ｂとを有した柄杓形（片ハット形）断面形状の長尺部材である。
【００３０】
下地板１５のコーナー側の木端面が下地板１６のコーナー側の先端部の裏面に片ハットジョイナー１８のコ字形部１８ａを介して突き合わされるように下地板１５，１６の取り付けが行われる。片ハットジョイナー１８は、その平部１８ｂが下地板１５と縦胴縁１２との間に挟みこまれている。上記コ字形部１８ａはこの下地板１５の木端面と下地板１６の先端側裏面との間に、下地板１５の裏面から所定深さだけ入り込む大きさとなっている。
【００３１】
このコ字形部１８ａと下地板１５，１６とで囲まれる上下方向の目地状の溝部にシーリング１９を充填する。
【００３２】
この下地板１５，１６を突き合わせた出隅に対し前記出隅コーナー材１が重ね合わされ、シーリング２０を塗り込めることにより該出隅コーナー材１が下地板１５，１６に固定される。
【００３３】
この出隅コーナー材は、無孔領域Ｗ３がシーリング１９を覆う大きさを有している。具体的には２０ｍｍ以上である。下地板１５側にあっては、有孔領域Ｗ２は下地板１５にのみ重なるようになり、孔３はシーリング１９には対面しない。
【００３４】
このシーリング２０は、少なくとも有孔領域Ｗ２と、下地板１５，１６のうち出隅コーナー材１に沿う領域を覆うように塗着される。コーナー材１上に塗着されたシーリング２０は、孔３を通って下地板１５，１６に付着する。これにより、シーリング２０が出隅コーナー材１を固定するアンカーとして機能し、出隅コーナー材１が長期間にわたってしっかりと下地板１５，１６に取り付けられる。
【００３５】
次に、アンダーコート（下塗り材）２２を塗着し、さらにその上にトップコート（塗り仕上げ材）２３を塗着する。アンダーコート２２及びトップコート２３は、シーリング２０、出隅コーナー材１及び下地板１５，１６の全面を覆うように塗装される。
【００３６】
なお、アンダーコート２２としては樹脂系やセメント系などを用いることができ、トップコート２３としては樹脂系やセメント系などを用いることができるが、材料はこれに限定されない。
【００３７】
このようにして塗り仕上げされた出隅構造にあっては、上記の通り、シーリング２０が孔３を通って下地板１５，１６に直に付着しており、シーリング２０のアンカー効果によって出隅コーナー材１を長期間にわたってしっかりと下地板１５，１６に固定することができる。
【００３８】
塗り材は樹脂やセメント系のもの等、様々なものを用いることができる。
【００３９】
また、孔３は有孔領域Ｗ２にのみ設けられているので、孔３を板状体２の全領域に設ける場合に比べてシーリング２０の塗着量が少なくて済む。
【００４０】
なお、出隅コーナー材１は左右対称であるため、施工時に上下逆にしても問題なく使用することができる。
【００４１】
この出隅コーナー材１は、交叉角度θが９０°よりも小さいため、出隅コーナー材１の交叉辺近傍において下地板１５のコーナー部付近との間に若干の空間が生じる。このため、下地板１５，１６の動きによってシーリング１９が下地板１５の表面から若干突出した場合であっても、この突出が上記空間で吸収されるようになり、仕上げ面に影響がおよばない。
【００４２】
この出隅コーナー材１は、無孔領域Ｗ３が板間のシーリング１９を覆っているので、このシーリング１９が痩せても仕上がり面に全く影響が及ばない。
【００４３】
また、この出隅コーナー材１は、板状体２が端辺に向って肉薄となっているので、特に塗り材のように薄塗り仕上げする場合でも、板状体２の端辺に沿って仕上げ面に筋状の段差や切れ目が生じることが防止される。即ち、出隅コーナー材１と下地板１５，１６との境目が目立たない美しい仕上がり面を得ることができる。
【図面の簡単な説明】
【００４４】
【図１】実施の形態に係る出隅コーナー材の構成図である。
【図２】図１の出隅コーナー材の側面図と断面図である。
【図３】実施の形態に係る出隅構成の構成図である。
【符号の説明】
【００４５】
１  出隅コーナー材
２  板状体
３  孔
１０  柱
１２，１３  縦胴縁
１５，１６  下地板
１９，２０シーリング
【図１】
2008063830.tif 000003
【図２】
2008063830.tif 000004
【図３】
2008063830.tif 000005